(57)【要約】【課題】移動通信システムにおいて、ＵＥカテゴリ等のユーザ装置の種類情報を基地局に通知するためのオーバヘッドを増加させることなく、より多くの種類情報を基地局に通知する。【解決手段】基地局とユーザ装置を備える移動通信システムにおけるユーザ装置において、前記基地局から、ユーザ装置の種類情報に関する所定の通知方法に対応しているか否かを示す対応状況情報を受信し、当該対応状況情報に基づいて、前記基地局が前記所定の通知方法に対応しているか否かを判定する対応状況判定部と、前記対応状況判定部により、前記基地局が前記所定の通知方法に対応していると判定された場合に、第１の種類情報と第２の種類情報との組み合わせを前記基地局に通知することで、前記ユーザ装置の種類情報を通知する種類情報通知制御部とを備える。【選択図】図１１
2014236353.tif 000002
【特許請求の範囲】
【請求項１】
基地局とユーザ装置を備える移動通信システムにおけるユーザ装置であって、
前記基地局から、ユーザ装置の種類情報に関する所定の通知方法に対応しているか否かを示す対応状況情報を受信し、当該対応状況情報に基づいて、前記基地局が前記所定の通知方法に対応しているか否かを判定する対応状況判定部と、
前記対応状況判定部により、前記基地局が前記所定の通知方法に対応していると判定された場合に、第１の種類情報と第２の種類情報との組み合わせを前記基地局に通知することで、前記ユーザ装置の種類情報を通知する種類情報通知制御部と
を備えることを特徴とするユーザ装置。
【請求項２】
前記移動通信システムはＬＴＥ方式の移動通信システムであり、前記種類情報通知制御部は、前記ユーザ装置の種類情報として、ＵＥカテゴリ９以降のＵＥカテゴリを前記第１の種類情報と前記第２の種類情報との組み合わせを含む能力情報通知メッセージにより前記基地局に通知する
ことを特徴とする請求項１に記載のユーザ装置。
【請求項３】
前記第１の種類情報は、リリース８のＵＥカテゴリフィールドの値であり、前記第２の種類情報は、リリース１０のＵＥカテゴリフィールドの値である
ことを特徴とする請求項２に記載のユーザ装置。
【請求項４】
基地局とユーザ装置を備える移動通信システムにおける基地局であって、
前記ユーザ装置の種類情報に関する所定の通知方法に対応していること示す対応状況情報を前記ユーザ装置に通知する対応状況情報通知部と、
前記ユーザ装置から、当該ユーザ装置の種類情報として、第１の種類情報と第２の種類情報との組み合わせを受信し、当該第１及び第２の種類情報と、所定の種類情報との間の予め定めた対応関係に基づいて、当該第１及び第２の種類情報に対応する所定の種類情報を前記ユーザ装置の種類情報として決定する種類情報判定部と
を備えることを特徴とする基地局。
【請求項５】
基地局とユーザ装置を備える移動通信システムにおけるユーザ装置であって、
前記ユーザ装置の種類情報を格納した記億部と、
前記種類情報として、前記ユーザ装置の能力情報と、前記種類情報よりも低い能力に対応する別の種類情報とを前記基地局に送信する種類情報通知制御部と
を備えたことを特徴とするユーザ装置。
【請求項６】
前記移動通信システムはＬＴＥ方式の移動通信システムであり、前記ユーザ装置の種類情報はＵＥカテゴリ９以降のＵＥカテゴリであり、前記別の種類情報はリリース８のＵＥカテゴリフィールドの値である
ことを特徴とする請求項５に記載のユーザ装置。
【請求項７】
基地局とユーザ装置を備える移動通信システムにおける基地局であって、
前記ユーザ装置から、当該ユーザ装置の能力情報と第１の種類情報を受信する受信部と、
前記能力情報と、前記第１の種類情報と、当該第１の種類情報よりも高い能力に対応する第２の種類情報との間の予め定めた対応関係に基づいて、前記ユーザ装置の種類情報として、前記能力情報と前記第１の種類情報とに対応する第２の種類情報を決定する種類情報判定部と
を備えることを特徴とする基地局。
【請求項８】
前記移動通信システムはＬＴＥ方式の移動通信システムであり、前記第２の種類情報はＵＥカテゴリ９以降のＵＥカテゴリであり、前記第１の種類情報はリリース８のＵＥカテゴリフィールドの値である
ことを特徴とする請求項７に記載の基地局。
【請求項９】
基地局とユーザ装置を備える移動通信システムにおけるユーザ装置が実行するユーザ装置種類情報通知方法であって、
前記基地局から、ユーザ装置の種類情報に関する所定の通知方法に対応しているか否かを示す対応状況情報を受信し、当該対応状況情報に基づいて、前記基地局が前記所定の通知方法に対応しているか否かを判定する対応状況判定ステップと、
前記対応状況判定ステップにより、前記基地局が前記所定の通知方法に対応していると判定された場合に、第１の種類情報と第２の種類情報との組み合わせを前記基地局に通知することで、前記ユーザ装置の種類情報を通知する種類情報通知ステップと
を備えることを特徴とするユーザ装置種類情報通知方法。
【請求項１０】
基地局とユーザ装置を備える移動通信システムにおける基地局が実行するユーザ装置種類情報受信方法であって、
前記ユーザ装置の種類情報に関する所定の通知方法に対応していること示す対応状況情報を前記ユーザ装置に通知する対応状況情報通知ステップと、
前記ユーザ装置から、当該ユーザ装置の種類情報として、第１の種類情報と第２の種類情報との組み合わせを受信し、当該第１及び第２の種類情報と、所定の種類情報との間の予め定めた対応関係に基づいて、当該第１及び第２の種類情報に対応する所定の種類情報を前記ユーザ装置の種類情報として決定する種類情報判定ステップと
を備えることを特徴とするユーザ装置種類情報受信方法。
【発明の詳細な説明】
【技術分野】
【０００１】
本発明は、ＬＴＥ等の方式の移動通信システムにおけるユーザ装置ＵＥが、基地局ｅＮＢに自身の能力情報やカテゴリ情報を通知する技術に関連するものである。
【背景技術】
【０００２】
ＬＴＥ（ＬＴＥ−Ａｄｖａｎｃｅｄを含む）システムにおいては、ユーザ装置ＵＥの能力についてのＵＥカテゴリ（ｃａｔｅｇｏｒｙ）が規定されており、ＵＥカテゴリ毎に対応すべき要求条件が異なっている。例えば、ＤＬ／ＵＬピークスループットや対応しているＭＩＭＯレイヤ数がＵＥカテゴリ毎に規定されている。一例として、図１（非特許文献１：３ＧＰＰ  ＴＳ３６．３０６）にＵＥカテゴリ毎のＤＬ能力を示す。
【０００３】
また、ＬＴＥでは、ユーザ装置ＵＥは、例えばネットワークへの接続時等に、自身のＵＥカテゴリを所定のメッセージ"ＵＥ−ＥＵＴＲＡ−Ｃａｐａｂｉｌｉｔｙ"で通知することが規定されている（非特許文献２：ＴＳ３６．３３１）。
【０００４】
３ＧＰＰのリリース８（以下、Ｒｅｌ−８）においては、ＵＥ−ＥＵＴＲＡ−Ｃａｐａｂｉｌｉｔｙのメッセージにおいて、ＵＥカテゴリ１〜５を通知するフィールドが定義され、リリース１０（以下、Ｒｅｌ−１０）ではＵＥカテゴリ６〜８が追加定義され、それを通知するためのフィールドが定義されている。具体的には、図２に示すＵＥ−ＥＵＴＲＡ−Ｃａｐａｂｉｌｉｔｙの情報要素（ＩＥ）の中に下線で示すように、ＵＥカテゴリ１〜５を通知するフィールドと、ＵＥカテゴリ６〜８を通知するフィールドが定義されている。
【先行技術文献】
【非特許文献】
【０００５】
【非特許文献１】３ＧＰＰ  ＴＳ  ３６．３０６  Ｖ１０．９．０  （２０１３−０３）、４．１  ｕｅ−Ｃａｔｅｇｏｒｙ
【非特許文献２】３ＧＰＰ  ＴＳ  ３６．３３１  Ｖ１０．９．０  （２０１３−０３）、６．３．６  Ｏｔｈｅｒ  ｉｎｆｏｒｍａｔｉｏｎ  ｅｌｅｍｅｎｔｓ、ＵＥ−ＥＵＴＲＡ−Ｃａｐａｂｉｌｉｔｙ
【発明の概要】
【発明が解決しようとする課題】
【０００６】
現状のＵＥカテゴリ７までのユーザ装置ＵＥは下り最大速度（ＤＬ  ｐｅａｋ  ｒａｔｅ）３００Ｍｂｐｓまでに対応している。今後３００Ｍｂｐｓ以上の下り最大速度を実現するユーザ装置ＵＥが登場すると考えられ、ＵＥカテゴリ７まででは対応できず、追加のＵＥカテゴリを定義する必要がある。なお、ＵＥカテゴリ８は３Ｇｂｐｓを実現することができるが、現実的なＵＥカテゴリではない。すなわち、３００Ｍｂｐｓ以上の下り最大速度を実現するユーザ装置ＵＥに対応して、ＵＥカテゴリ９以降のＵＥカテゴリを定義することが必要である。  
一方、図２のＵＥ−ＥＵＴＲＡ−Ｃａｐａｂｉｌｉｔｙのメッセージ（ＡＳＮ．１  ｓｔｒｕｃｔｕｒｅ）に示すように、Ｒｅｌ−１０用のフィールドにはスペアがなく、ＵＥカテゴリ９以降を定義することができない。
【０００７】
簡易な案として、新規のＵＥカテゴリ用にフィールドを追加することも考えられるが、シグナリングのビット数が増えるため、オーバヘッドが大きくなるという問題がある。
【０００８】
本発明は上記の点に鑑みてなされたものであり、移動通信システムにおいて、ＵＥカテゴリ等のユーザ装置の種類情報を基地局に通知するためのオーバヘッドを増加させることなく、より多くの種類情報を基地局に通知することを可能とする技術を提供することを目的とする。
【課題を解決するための手段】
【０００９】
上記の課題を解決するために、本発明の実施の形態によれば、基地局とユーザ装置を備える移動通信システムにおけるユーザ装置であって、
前記基地局から、ユーザ装置の種類情報に関する所定の通知方法に対応しているか否かを示す対応状況情報を受信し、当該対応状況情報に基づいて、前記基地局が前記所定の通知方法に対応しているか否かを判定する対応状況判定部と、
前記対応状況判定部により、前記基地局が前記所定の通知方法に対応していると判定された場合に、第１の種類情報と第２の種類情報との組み合わせを前記基地局に通知することで、前記ユーザ装置の種類情報を通知する種類情報通知制御部とを備えることを特徴とするユーザ装置が提供される。
【００１０】
また、本発明の実施の形態によれば、基地局とユーザ装置を備える移動通信システムにおける基地局であって、
前記ユーザ装置の種類情報に関する所定の通知方法に対応していること示す対応状況情報を前記ユーザ装置に通知する対応状況情報通知部と、
前記ユーザ装置から、当該ユーザ装置の種類情報として、第１の種類情報と第２の種類情報との組み合わせを受信し、当該第１及び第２の種類情報と、所定の種類情報との間の予め定めた対応関係に基づいて、当該第１及び第２の種類情報に対応する所定の種類情報を前記ユーザ装置の種類情報として決定する種類情報判定部とを備えることを特徴とする基地局が提供される。
【００１１】
また、本発明の実施の形態によれば、基地局とユーザ装置を備える移動通信システムにおけるユーザ装置であって、
前記ユーザ装置の種類情報を格納した記億部と、
前記種類情報として、前記ユーザ装置の能力情報と、前記種類情報よりも低い能力に対応する別の種類情報とを前記基地局に送信する種類情報通知制御部とを備えたことを特徴とするユーザ装置が提供される。
【００１２】
また、本発明の実施の形態によれば、基地局とユーザ装置を備える移動通信システムにおける基地局であって、
前記ユーザ装置から、当該ユーザ装置の能力情報と第１の種類情報を受信する受信部と、
前記能力情報と、前記第１の種類情報と、当該第１の種類情報よりも高い能力に対応する第２の種類情報との間の予め定めた対応関係に基づいて、前記ユーザ装置の種類情報として、前記能力情報と前記第１の種類情報とに対応する第２の種類情報を決定する種類情報判定部とを備えることを特徴とする基地局が提供される。
【発明の効果】
【００１３】
本発明の実施の形態によれば、移動通信システムにおいて、ＵＥカテゴリ等のユーザ装置の種類情報を基地局に通知するためのオーバヘッドを増加させることなく、より多くの種類情報を基地局に通知することが可能となる。
【図面の簡単な説明】
【００１４】
【図１】ＵＥカテゴリの規定を示す図である。
【図２】ＵＥ−ＥＵＴＲＡ−Ｃａｐａｂｉｌｉｔｙの情報要素の一部を示す図である。
【図３】本発明の実施の形態に係る通信システムの構成図である。
【図４】本実施の形態における基地局ｅＮＢとユーザ装置ＵＥ間の処理手順を示す図である。
【図５】対応していることを示す情報を報知情報で通知する場合におけるＳＩＢの内容例を示す図である。
【図６】リリース情報を報知情報で通知する場合におけるＳＩＢの内容例を示す図である。
【図７】対応していることを示す情報を個別信号で通知する場合におけるメッセージの内容例を示す図である。
【図８】リリース情報を個別信号で通知する場合におけるメッセージの内容例を示す図である。
【図９】Ｒｅｌ−８  のＵＥカテゴリフィールドの値とＲｅｌ−１０  のＵＥカテゴリフィールドの値の組み合わせ方法の例を示す図である。
【図１０】第１の実施の形態における基地局ｅＮＢの機能構成図である。
【図１１】第１の実施の形態における基地局ｅＮＢの動作例を示すフローチャートである。
【図１２】第１の実施の形態におけるユーザ装置ＵＥの機能構成図である。
【図１３】第１の実施の形態におけるユーザ装置ＵＥの動作例を示すフローチャートである。
【図１４】第２の実施の形態における、ユーザ装置ＵＥの能力情報（ＣＡ能力）、ＵＥカテゴリ、Ｒｅｌ−８ＵＥカテゴリフィールドの値の間の対応関係例を示す図である。
【図１５】ＭＩＭＯレイヤ数の情報を含む能力情報通知メッセージの例を示す図である。
【図１６】第２の実施の形態における、ユーザ装置ＵＥの能力情報（ＣＡ能力、ＭＩＭＯレイヤ数）、ＵＥカテゴリ、Ｒｅｌ−８ＵＥカテゴリフィールドの値の間の対応関係例を示す図である。
【図１７】第２の実施の形態における基地局ｅＮＢの機能構成図である。
【図１８】第２の実施の形態における基地局ｅＮＢの動作例を示すフローチャートである。
【図１９】第２の実施の形態におけるユーザ装置ＵＥの機能構成図である。
【発明を実施するための形態】
【００１５】
以下、図面を参照して本発明の実施の形態を説明する。なお、以下で説明する実施の形態は一例に過ぎず、本発明が適用される実施の形態は、以下の実施の形態に限られるわけではない。例えば、本実施の形態では、３ＧＰＰの技術仕様（ＬＴＥ）の特定のリリースにおけるＵＥカテゴリ（種類情報）に関する内容を例として取り上げているが、本発明はこれに限られるわけではない。例えば、本発明は、ユーザ装置の種類情報や能力情報を基地局に通知する移動通信システムであれば、ＬＴＥ以外の移動通信システムにも適用できる。
【００１６】
（概要）
本実施の形態では、ユーザ装置ＵＥの能力情報を基地局ｅＮＢに通知するメッセージ（具体的には、ＵＥ−ＥＵＴＲＡ−Ｃａｐａｂｉｌｉｔｙであり、以降、能力情報通知メッセージと呼ぶ）において、新規のＵＥカテゴリフィールドを追加することなく、ＵＥカテゴリ９以降のＵＥカテゴリを通知する。具体的には第１の実施の形態と第２の実施の形態がある。
【００１７】
第１の実施の形態では、基地局ｅＮＢから対応状況やリリース情報をユーザ装置ＵＥに通知するとともに、ユーザ装置ＵＥは、Ｒｅｌ−８のＵＥカテゴリ情報とリリース１０のＵＥカテゴリ情報とを組み合わせてＵＥカテゴリ９以降のカテゴリ情報を基地局ｅＮＢに通知することとしている。
【００１８】
第２の実施の形態では、ＵＥカテゴリ９以降のＵＥカテゴリを、ユーザ装置ＵＥの能力に対応する他の情報（例：ＣＡ  ｂａｎｄ  ｃｏｍｂｉｎａｔｉｏｎ、ＭＩＭＯ数）とくくりつけて通知することとしている。以下、各実施の形態について説明する。
【００１９】
（第１の実施の形態）
＜処理内容等＞
図３に本発明の実施の形態（第１、第２の実施の形態に共通）に係る通信システムの構成図を示す。本実施の形態に係る通信システムは、ＬＴＥ方式の通信システムであり、図３に示すように、ユーザ装置ＵＥ、及び基地局ｅＮＢを含む。
【００２０】
図４は、本実施の形態における処理手順の概要を示す図である。図４に示すように、ユーザ装置ＵＥがＵＥカテゴリを基地局ｅＮＢに通知する前に、まず、基地局ｅＮＢがユーザ装置ＵＥに対して、本実施の形態におけるＵＥカテゴリ９以降のＵＥカテゴリの通知方法への対応状況を示す情報（"対応している／対応していない"を示す１ビット情報、リリース情報等）を通知する（ステップ１）。そして、ユーザ装置ＵＥは、基地局ｅＮＢがＵＥカテゴリ９以降の通知方法に対応しているか否かに応じて通知方法を決定し、当該通知方法でＵＥカテゴリを通知する（ステップ２）。
【００２１】
基地局ｅＮＢがユーザ装置ＵＥに対して、対応状況を示す情報を通知する方法は、特定の方法に限定されないが、例えば報知情報（システム情報）や、ＵＥＣａｐａｂｉｌｉｔｙＥｎｑｕｉｒｙ等の個別信号を用いて通知することができる。また、通知する情報としては、上記のように、リリース情報を通知してもよいし、本実施の形態で説明するＵＥカテゴリの通知方法に対応していることを示す情報を通知してもよい。
【００２２】
図５に、対応していることを示す情報を報知情報で通知する場合におけるＳＩＢ（ＳｙｓｔｅｍＩｎｆｏｒｍａｔｉｏｎＢｌｏｃｋＴｙｐｅ２  ｉｎｆｏｒｍａｔｉｏｎ  ｅｌｅｍｅｎｔ）の具体的な内容例を示す。図５において下線を引いた部分が、当該通知に対応する。図６に、基地局ｅＮＢのリリース情報を報知情報で通知する場合におけるＳＩＢ（ＳｙｓｔｅｍＩｎｆｏｒｍａｔｉｏｎＢｌｏｃｋＴｙｐｅ２  ｉｎｆｏｒｍａｔｉｏｎ  ｅｌｅｍｅｎｔ）の具体的な内容例を示す。図６において下線を引いた部分が、当該通知に対応する。
【００２３】
また、図７に、対応していることを示す情報を個別信号で通知する場合におけるメッセージ（ＵＥＣａｐａｂｉｌｉｔｙＥｎｑｕｉｒｙ  ｍｅｓｓａｇｅ）の具体的な内容例を示す。図７において下線を引いた部分が、当該通知に対応する。図８に、基地局ｅＮＢのリリース情報を個別信号で通知する場合におけるメッセージ（ＵＥＣａｐａｂｉｌｉｔｙＥｎｑｕｉｒｙ  ｍｅｓｓａｇｅ）の具体的な内容例を示す。図８において下線を引いた部分が、当該通知に対応する。なお、本実施の形態では、特定のリリース以降（例：Ｒｅｌ−１１以降）は、本実施の形態でのＵＥカテゴリ９以降の通知方法に対応しているものとする。従って、ユーザ装置ＵＥは、基地局ｅＮＢのリリース情報からＵＥカテゴリ９以降の通知方法に対応しているか否かを把握できる。
【００２４】
例えば、対応していることを示す情報の通知は、１ビットで行うことができるので、本実施の形態によれば、基地局ｅＮＢからの信号を１ビット追加するだけで、後述するようにユーザ装置ＵＥはＵＥカテゴリ２０までのＵＥカテゴリ情報を通知することが可能となる。
【００２５】
図４のステップ１で基地局ｅＮＢから対応状況を示す情報を受信したユーザ装置ＵＥは、ステップ２で、基地局ｅＮＢがＵＥカテゴリ９以降に対応していることを検出した場合、Ｒｅｌ−８のＵＥカテゴリフィールドの値と、Ｒｅｌ−１０のＵＥカテゴリフィールドの値の組み合わせで、最大２０までのＵＥカテゴリを通知する。
【００２６】
組み合わせ方法の例を図９に示す。図９の表における左側の１〜５がＲｅｌ−８のＵＥカテゴリフィールドを用いて通知する値であり、上側の６〜８がＲｅｌ−１０のＵＥカテゴリフィールドで通知する値である。
【００２７】
図９に示すように、例えば、ユーザ装置ＵＥがＵＥカテゴリ９を通知する場合、Ｒｅｌ−８のＵＥカテゴリフィールドの値を１とし、Ｒｅｌ−１０のＵＥカテゴリフィールドの値を６とした能力情報通知メッセージ（ＵＥ−ＥＵＴＲＡ−Ｃａｐａｂｉｌｉｔｙ）を基地局ｅＮＢに通知する。
【００２８】
なお、Ｒｅｌ−１０において、ユーザ装置ＵＥがＵＥカテゴリ６を通知する場合には、同時にＵＥカテゴリ４を通知し、ＵＥカテゴリ７を通知する場合には、同時にＵＥカテゴリ４を通知し、ＵＥカテゴリ８を通知する場合には同時にカテゴリ５を通知することが規定されているため、図９に示すように、これらの組み合わせはカテゴリ９以降のＵＥカテゴリの通知には使用されない。
【００２９】
従来技術であるＲｅｌ−１０では、ユーザ装置ＵＥは、自身のＵＥカテゴリを基地局ｅＮＢに通知する前に基地局ｅＮＢのリリース情報を知ることはできないので、ユーザ装置ＵＥは、例えばＵＥカテゴリ７を通知する場合には、同時にＵＥカテゴリ４を通知する等の通知方法を用いている。この場合、基地局ｅＮＢがＲｅｌ−１０に対応していれば、基地局ｅＮＢは、ユーザ装置ＵＥはＵＥカテゴリ７であるとして設定（コンフィギュレーション）を行うが、基地局ｅＮＢがＲｅｌ−８までしか対応していなければ、基地局ｅＮＢは、ユーザ装置ＵＥはＵＥカテゴリ４であるとして設定（コンフィギュレーション）を行う。ＵＥカテゴリ６、８でも同様である。
【００３０】
なお、図９に示す組み合わせは一例に過ぎず、どの組み合わせをどのＵＥカテゴリに対応させるかは任意に決定してよい。
【００３１】
また、ユーザ装置ＵＥは、基地局ｅＮＢがＵＥカテゴリ９以降に対応していないことを検出した場合には、例えば、ＵＥカテゴリ８までのＵＥカテゴリ通知用の通知方法で予め定めたＵＥカテゴリを通知する。
【００３２】
＜装置構成、処理フロー＞
図１０に、本実施の形態における基地局ｅＮＢの機能構成図を示す。図１０に示すように、基地局ｅＮＢは、ＤＬ信号送信部１０１、ＵＬ信号受信部１０２、対応状況情報通知部１０３、ＵＥカテゴリ判定部１０４を有する。なお、図１０は、基地局ｅＮＢにおいて本発明の実施の形態に特に関連する機能部のみを示すものであり、少なくともＬＴＥ方式に準拠した動作を行うための図示しない機能も有するものである。また、図１０に示す基地局ｅＮＢは、本実施の形態におけるＵＥカテゴリの通知方法に対応しているものとする。
【００３３】
ＤＬ信号送信部１０１は、基地局ｅＮＢから送信されるべき上位のレイヤの情報から、物理レイヤの各種信号を生成し、ユーザ装置ＵＥに対して送信する機能を含む。ＵＬ信号受信部１０２は、ユーザ装置ＵＥから各種の上り信号を受信し、受信した物理レイヤの信号からより上位のレイヤの情報を取得する機能を含む。
【００３４】
対応状況情報通知部１０３は、基地局ｅＮＢが本実施の形態におけるＵＥカテゴリの通知方法に対応しているか否かを示す情報（対応状況を示す情報）をＤＬ信号送信部１０１を介してユーザ装置ＵＥに通知する機能を有する。
【００３５】
ＵＥカテゴリ判定部１０４は、図９に示したような、Ｒｅｌ−８ＵＥカテゴリフィールドの値とＲｅｌ−１０ＵＥカテゴリフィールドの値と９以降のＵＥカテゴリとの対応関係を示したテーブルを格納する記億部と、当該テーブルを参照することにより、ユーザ装置ＵＥから受信した能力情報通知メッセージに含まれる１つ又は複数のＵＥカテゴリフィールドの値から、当該ユーザ装置ＵＥのＵＥカテゴリを判定する。
【００３６】
図１１のフローチャートを参照して、基地局ｅＮＢの動作例を説明する。まず、基地局ｅＮＢの対応状況情報通知部１０３がユーザ装置ＵＥに対して対応状況を示す情報を通知する（ステップ１０１）。その後、基地局ｅＮＢのＵＥカテゴリ判定部１０４はユーザ装置ＵＥから能力情報通知メッセージをＵＬ信号送信部１０２を介して受信し（ステップ１０２）、当該能力情報通知メッセージの内容等に基づき、ユーザ装置ＵＥのＵＥカテゴリを判定する（ステップ１０３）。
【００３７】
能力情報通知メッセージの中に、Ｒｅｌ−１０ＵＥカテゴリフィールドとＲｅｌ−８ＵＥカテゴリフィールドのうち、Ｒｅｌ−８ＵＥカテゴリフィールドのみが含まれている場合、ＵＥカテゴリ判定部１０４は、当該ユーザ装置ＵＥのＵＥカテゴリをＲｅｌ−８ＵＥカテゴリフィールドの値であると判定する（ステップ１０４）。
【００３８】
能力情報通知メッセージの中に、Ｒｅｌ−８ＵＥカテゴリフィールドとＲｅｌ−１０ＵＥカテゴリフィールドの両方が含まれている場合、ＵＥカテゴリ判定部１０４は、保持している図９に示したテーブルに従って当該ユーザ装置ＵＥのＵＥカテゴリを判定する（ステップ１０５）。例えば、Ｒｅｌ−１０ＵＥカテゴリフィールドの値が７であり、Ｒｅｌ−８ＵＥカテゴリフィールドの値が２であれば当該ユーザ装置ＵＥのＵＥカテゴリを１３であると判定する。また、例えば、Ｒｅｌ−１０ＵＥカテゴリフィールドの値が７であり、Ｒｅｌ−８ＵＥカテゴリフィールドの値が４であれば当該ユーザ装置ＵＥのＵＥカテゴリを７であると判定する。その後、基地局ｅＮＢは、決定したUEカテゴリに対応する設定（コンフィギュレーション）を行うことで、当該UEカテゴリのユーザ装置ＵＥに対応した通信方式で、当該ユーザ装置ＵＥと通信を行うことができるようにする。
【００３９】
なお、基地局ｅＮＢからユーザ装置ＵＥへの対応状況を示す情報の送信、及びユーザ装置ＵＥから基地局ｅＮＢへのＵＥカテゴリの送信は、接続を開始する場合等の所定の契機で行ってもよいし、例えば定期的に行ってもよい。
【００４０】
図１２に、本実施の形態におけるユーザ装置ＵＥの機能構成図を示す。図１２に示すように、ユーザ装置ＵＥは、ＤＬ信号受信部２０１、ＵＬ信号送信部２０２、ＵＥカテゴリ管理部２０３、ｅＮＢ対応状況判定部２０４、ＵＥカテゴリ通知制御部２０５を備える。当該ユーザ装置ＵＥは、ＵＥカテゴリ９以降であるものとする。なお、図１２は、ユーザ装置ＵＥにおいて本発明に特に関連する機能部のみを示すものであり、少なくともＬＴＥに準拠した動作を行うための図示しない機能も有するものである。
【００４１】
ＤＬ信号受信部２０１は、基地局ｅＮＢから各種の下り信号を受信し、受信した物理レイヤの信号からより上位のレイヤの情報を取得する機能を含み、ＵＬ信号送信部２０２は、ユーザ装置ＵＥから送信されるべき上位のレイヤの情報から、物理レイヤの各種信号を生成し、基地局ｅＮＢに対して送信する機能を含む。
【００４２】
ＵＥカテゴリ管理部２０３は、ユーザ装置ＵＥ自身のＵＥカテゴリ（例：ＵＥカテゴリ１０）を格納する記億部を備え、他の機能部からの問い合わせを受けてＵＥカテゴリを当該機能部に通知する機能を有する。また、当該記憶部には、ＵＥカテゴリ１０のような実際のカテゴリに代えて、又はこれに加えて、図９に示す関係に基づく組み合わせの値（Ｒｅｌ−８ＵＥカテゴリ値とＲｅｌ−１０ＵＥカテゴリ値）を記憶してもよい。
【００４３】
ｅＮＢ対応状況判定部２０４は、基地局ｅＮＢから受信する対応状況を示す情報（例：図５〜図８）に基づいて、基地局ｅＮＢが本実施の形態におけるＵＥカテゴリの通知方法に対応しているか否かを判定する機能を備える。ＵＥカテゴリ通知制御部２０５は、ＵＥカテゴリ管理部２０３から自身のＵＥカテゴリを取得し、ｅＮＢ対応状況判定部２０４による判定結果に基づいて、図９で示したように２つの値の組み合わせでＵＥカテゴリを基地局ｅＮＢに通知するか、もしくは、所定のＵＥカテゴリを基地局ｅＮＢに通知する。なお、ＵＥカテゴリ通知制御部２０５は、その記億部に図９に示した対応関係のテーブルを持ち、当該テーブルと実際のＵＥカテゴリから２つの値の組み合わせを決定してもよいし、予め２つの組み合わせを保持し、保持した値を用いてもよい。本例では後者であるものとする。
【００４４】
図１３に示すフローチャートを参照して、ユーザ装置ＵＥの動作例を説明する。ユーザ装置ＵＥのｅＮＢ対応状況判定部２０４は、基地局ｅＮＢからＤＬ信号受信部２０１を介して対応状況を示す情報を受信する（ステップ２０１）と、当該情報に基づいて、基地局ｅＮＢが本実施の形態におけるＵＥカテゴリ９以降のＵＥカテゴリの通知方法に対応しているか否かを判定する（ステップ２０２）。
【００４５】
ステップ２０２において、基地局ｅＮＢがＵＥカテゴリ９以降のＵＥカテゴリの通知方法に対応していると判定された場合、ＵＥカテゴリ通知制御部２０５は、自身のＵＥカテゴリに対応するＲｅｌ−８ＵＥカテゴリフィールドの値とＲｅｌ−１０ＵＥカテゴリフィールドの値を記憶部から取得し、これらの組み合わせを含む能力情報通知メッセージをＵＬ信号送信部２０２を介して基地局ｅＮＢに通知する（ステップ２０３）。例えば、ユーザ装置ＵＥがＵＥカテゴリ９である場合、Ｒｅｌ−８ＵＥカテゴリフィールドの値を１とし、Ｒｅｌ−１０ＵＥカテゴリフィールドの値を６とした能力情報通知メッセージを基地局ｅＮＢに通知する。
【００４６】
ステップ２０２において、基地局ｅＮＢがＵＥカテゴリ９以降に対応していないと判定された場合、ＵＥカテゴリ通知制御部２０５は、ＵＥカテゴリ８までのＵＥカテゴリ通知用の通知方法で予め定めたＵＥカテゴリを通知する（ステップ２０４）。
【００４７】
上述したように、本実施の形態によれば、基地局とユーザ装置を備える移動通信システムにおけるユーザ装置であって、前記基地局から、ユーザ装置の種類情報に関する所定の通知方法に対応しているか否かを示す対応状況情報を受信し、当該対応状況情報に基づいて、前記基地局が前記所定の通知方法に対応しているか否かを判定する対応状況判定部（例：ｅＮＢ対応状況判定部２０４）と、前記対応状況判定部により、前記基地局が前記所定の通知方法に対応していると判定された場合に、第１の種類情報と第２の種類情報との組み合わせを前記基地局に通知することで、前記ユーザ装置の種類情報を通知する種類情報通知制御部（例：ＵＥカテゴリ通知制御部２０５）とを備えることを特徴とするユーザ装置が提供される。
【００４８】
前記移動通信システムは例えばＬＴＥ方式の移動通信システムであり、前記種類情報通知制御部は、前記ユーザ装置の種類情報として、ＵＥカテゴリ９以降のＵＥカテゴリを前記第１の種類情報と前記第２の種類情報との組み合わせを含む能力情報通知メッセージにより前記基地局に通知する。
【００４９】
上記の構成により、ＵＥカテゴリ９以降のＵＥカテゴリを通知するためのフィールドを増加させることなく、ＵＥカテゴリ９以降のＵＥカテゴリを通知でき、フィールドを増加させる場合に比べてオーバヘッドを削減できる。
【００５０】
前記第１の種類情報は、例えばリリース８のＵＥカテゴリフィールドの値であり、前記第２の種類情報は、リリース１０のＵＥカテゴリフィールドの値であるが、既存の他のフィールドを読み替えて使用可能であれば当該他のフィールドを用いてもよい。
【００５１】
また、本実施の形態によれば、基地局とユーザ装置を備える移動通信システムにおける基地局であって、前記ユーザ装置の種類情報に関する所定の通知方法に対応していること示す対応状況情報を前記ユーザ装置に通知する対応状況情報通知部と、前記ユーザ装置から、当該ユーザ装置の種類情報として、第１の種類情報と第２の種類情報との組み合わせを受信し、当該第１及び第２の種類情報と、所定の種類情報との間の予め定めた対応関係に基づいて、当該第１及び第２の種類情報に対応する所定の種類情報を前記ユーザ装置の種類情報として決定する種類情報判定部とを備えることを特徴とする基地局が提供される。
【００５２】
（第２の実施の形態）
次に、第２の実施の形態について説明する。
【００５３】
＜処理内容＞
本実施の形態では、ユーザ装置ＵＥは、ユーザ装置ＵＥのＵＥカテゴリ以外の能力情報とＵＥカテゴリとをくくりつけて基地局ｅＮＢに通知する。
【００５４】
本実施の形態では、上記能力情報の例として、対応するキャリアアグリゲーション（ＣＡ）能力情報、及びＭＩＭＯ能力情報を挙げて説明する。能力情報はこれらに限られるわけではなく、これら以外の能力情報を用いてもよい。
【００５５】
本実施の形態では、ＵＥカテゴリ９以降のユーザ装置ＵＥ、すなわち、３００Ｍｂｐｓを超えるＣＡ／ＭＩＭＯの組み合わせに対応しているユーザ装置ＵＥは、当該ＣＡ／ＭＩＭＯの能力情報を基地局ｅＮＢに通知するとともに、自身のＵＥカテゴリをＲｅｌ−８ＵＥカテゴリフィールドを用いて基地局ｅＮＢに通知する。そして、基地局ｅＮＢは、Ｒｅｌ−８ＵＥカテゴリフィールドの値を所定のルール（対応付けテーブル等）に則って読み替える。このようにテーブルを用いる他、ＣＡ／ＭＩＭＯ等の能力情報に応じて、実現できるピークレート（下り最大速度）を推定し、当該ピークレートに基づきＵＥカテゴリを推定することとしてもよい。この場合、例えば、ピークレート、Ｒｅｌ−８ＵＥカテゴリフィールドの値、ＵＥカテゴリ間の対応関係を示すテーブルを用いる。
【００５６】
ＣＡ能力情報について具体的に説明する。ＣＡ能力情報は、ＣＡにより実現可能な最大の帯域幅を示し、本実施の形態では、能力情報通知メッセージで通知されるＣＡ  ｂａｎｄ  ｃｏｍｂｉｎａｔｉｏｎの情報である。例えば、ＣＡ  ｂａｎｄ  ｃｏｍｂｉｎａｔｉｏｎの例であるＣＡ＿ＸＣ−ＹＡは、４０Ｍ＋２０Ｍ  ＝  ６０ＭＨｚの帯域を意味する。
【００５７】
そして、図１４に示すように、ＣＡ能力情報と、Ｒｅｌ−８ＵＥカテゴリフィールドの値と、ＵＥカテゴリ９以降のＵＥカテゴリとの間の対応関係をテーブルとして予め定めておき、ユーザ装置ＵＥは、当該対応関係に基づいて、能力情報通知メッセージに実際のＣＡ能力情報（例：ＣＡ  ｂａｎｄ  ｃｏｍｂｉｎａｔｉｏｎ＝ＣＡ＿ＸＣ−ＹＡ）とＲｅｌ−８ＵＥカテゴリフィールドの値を設定することによりＵＥカテゴリの通知を行う。なお、ユーザ装置ＵＥは、図１４に示すテーブルを備えることは必要ではない。ユーザ装置ＵＥは、図１４に示す関係に従って通知すべきＲｅｌ−８ＵＥカテゴリフィールドの値を保持しておけばよい。もちろん、ユーザ装置ＵＥが図１４に示すテーブルを備え、当該テーブルを参照することにより、実際のＵＥカテゴリからＲｅｌ−８ＵＥカテゴリフィールドの値を決定してもよい。
【００５８】
また、ＣＡ能力情報とＲｅｌ−８ＵＥカテゴリフィールドの値の両方を含む能力情報通知メッセージを送信してもよいし、これらを別々の能力情報通知メッセージで送信してもよい。
【００５９】
例えば図１４に示す関係が定められているとした場合において、ユーザ装置ＵＥのＵＥカテゴリが１０であり、ＣＡ能力情報が５０ＭＨｚである場合、ユーザ装置ＵＥはＲｅｌ−８ＵＥカテゴリフィールドの値を２として、上記ＣＡ能力情報を含む能力情報通知メッセージを基地局ｅＮＢに送信する。
【００６０】
基地局ｅＮＢは、図１４に示すテーブルを保持しており、ユーザ装置ＵＥから受信するＣＡ能力情報とＲｅｌ−８ＵＥカテゴリフィールドの値とに基づいて、当該テーブルからユーザ装置ＵＥのＵＥカテゴリを判断する。例えば、上記のように、ユーザ装置ＵＥからＣＡ能力情報として５０ＭＨｚを示す情報を受信し、Ｒｅｌ−８ＵＥカテゴリフィールドの値として２を受信した場合、図１４に示すテーブルを参照することにより、ユーザ装置ＵＥのＵＥカテゴリを１０であると判断する。
【００６１】
ＣＡ能力情報に加えてＭＩＭＯレイヤ数を加味してもよい。Ｒｅｌ−１０では、ＣＡ能力情報（Ｂａｎｄ  ｃｏｍｂｉｎａｔｉｏｎ）に含まれるバンド毎に、ＤＬ／ＵＬそれぞれにおけるＭＩＭＯのレイヤ数を能力として報告しており（図１５の下線部参照）、これをさらに考慮することができる。
【００６２】
つまり、例えば図１６に示すようなＣＡ能力情報、ＭＩＭＯレイヤ数、Ｒｅｌ−８ＵＥカテゴリフィールドの値、及びユーザ装置ＵＥのＵＥカテゴリの間の対応関係が予め定められており、ユーザ装置ＵＥはこの対応関係に従って、自身のＵＥカテゴリ、ＣＡ能力情報、ＭＩＭＯレイヤ数に対応するＲｅｌ−８ＵＥカテゴリフィールドの値を設定した能力情報通知メッセージを基地局ｅＮＢに通知する。前述したように、ユーザ装置ＵＥは、図１６に示すテーブルを備えることは必要ではない。ユーザ装置ＵＥは、図１６に示す関係に従って通知すべきＲｅｌ−８ＵＥカテゴリフィールドの値を保持しておけばよい。もちろん、ユーザ装置ＵＥが図１６に示すテーブルを備え、当該テーブルを参照することにより、実際のＵＥカテゴリからＲｅｌ−８ＵＥカテゴリフィールドの値を決定してもよい。
【００６３】
また、ＣＡ能力情報及びＭＩＭＯレイヤ数とＲｅｌ−８ＵＥカテゴリフィールドの値の両方を含む能力情報通知メッセージを送信してもよいし、これらを別々の能力情報通知メッセージで送信してもよい。
【００６４】
例えば、図１６の例の場合、ユーザ装置ＵＥのＵＥカテゴリが１１であり、ＣＡ能力情報が５０ＭＨｚであり、ＭＩＭＯレイヤ数がＤＬ：４レイヤ、ＵＬ：１レイヤである場合に、ユーザ装置ＵＥは、当該ＣＡ能力情報、及び当該ＭＩＭＯレイヤ数を含み、Ｒｅｌ−８ＵＥカテゴリフィールドの値として２を設定した能力情報通知メッセージを基地局ｅＮＢに送信する。
【００６５】
基地局ｅＮＢは、図１６に示すテーブルを保持しており、ユーザ装置ＵＥから受信するＣＡ能力情報とＭＩＭＯレイヤ数とＲｅｌ−８ＵＥカテゴリフィールドの値とに基づいて、当該テーブルからユーザ装置ＵＥのＵＥカテゴリを判断する。例えば、上記のように、ユーザ装置ＵＥからＣＡ能力情報として５０ＭＨｚを示す情報を受信し、ＭＩＭＯレイヤ数としてＤＬ：４レイヤ、ＵＬ：１レイヤを受信し、Ｒｅｌ−８ＵＥカテゴリフィールドの値として２を受信した場合、図１６に示すテーブルを参照することにより、ユーザ装置ＵＥのＵＥカテゴリを１１であると判断する。
【００６６】
＜装置構成、処理フロー＞
図１７に、本実施の形態における基地局ｅＮＢの機能構成図を示す。図１７に示すように、基地局ｅＮＢは、ＤＬ信号送信部３０１、ＵＬ信号受信部３０２、ＵＥカテゴリ判定部３０３を有する。なお、図１７は、基地局ｅＮＢにおいて本発明の実施の形態に特に関連する機能部のみを示すものであり、少なくともＬＴＥ方式に準拠した動作を行うための図示しない機能も有するものである。
【００６７】
ＤＬ信号送信部３０１は、基地局ｅＮＢから送信されるべき上位のレイヤの情報から、物理レイヤの各種信号を生成し、ユーザ装置ＵＥに対して送信する機能を含む。ＵＬ信号受信部３０２は、ユーザ装置ＵＥから各種の上り信号を受信し、受信した物理レイヤの信号からより上位のレイヤの情報を取得する機能を含む。
【００６８】
ＵＥカテゴリ判定部３０３は、例えば図１４、図１６等に示したテーブルを格納する記億部と、当該テーブルを参照することにより、ユーザ装置ＵＥから受信した能力情報通知メッセージに含まれる能力情報、及びＲｅｌ−８ＵＥカテゴリフィールドの値から、当該ユーザ装置ＵＥのＵＥカテゴリを判定する。
【００６９】
図１８のフローチャートを参照して、基地局ｅＮＢの動作例を説明する。基地局ｅＮＢのＵＥカテゴリ判定部３０３はユーザ装置ＵＥから能力情報通知メッセージを受信し（ステップ３０１）、以下のようにして、当該能力情報通知メッセージの内容に基づき、ユーザ装置ＵＥの能力を判定する（ステップ３０２）。
【００７０】
能力情報通知メッセージの中に含まれるＣＡ能力情報がＵＥカテゴリ９以降に対応している場合（例えば、ＣＡ能力情報が５０ＭＨｚ以上を示す情報である場合）、ＵＥカテゴリ判定部３０３は、能力情報通知メッセージの中に含まれる能力情報とＲｅｌ−８ＵＥカテゴリフィールドの値を用いてテーブルを参照し、能力情報とＲｅｌ−８ＵＥカテゴリフィールドの値に対応するＵＥカテゴリを決定する（ステップ３０３）。
【００７１】
能力情報通知メッセージの中に含まれるＣＡ能力情報がＵＥカテゴリ９以降に対応していない場合（例えば、ＣＡ能力情報が５０ＭＨｚ未満を示す情報である場合）、ＵＥカテゴリ判定部３０３は、ＵＥカテゴリ８までの通知方法に対応した判定方法でＵＥカテゴリを判定する（ステップ３０４）。つまり例えば、Ｒｅｌ−８ＵＥカテゴリメッセージの値が３である場合、ＵＥカテゴリを３であると判定する。
【００７２】
その後、基地局ｅＮＢは、決定したUEカテゴリに対応する設定（コンフィギュレーション）を行うことで、当該UEカテゴリのユーザ装置ＵＥに対応した通信方式で、当該ユーザ装置ＵＥと通信を行うことができるようにする。
【００７３】
図１９に、本実施の形態におけるユーザ装置ＵＥの機能構成図を示す。図１９に示すように、ユーザ装置ＵＥは、ＤＬ信号受信部４０１、ＵＬ信号送信部４０２、ＵＥカテゴリ管理部４０３、ＵＥカテゴリ通知制御部４０４を備える。なお、図１９は、ユーザ装置ＵＥにおいて本発明に特に関連する機能部のみを示すものであり、少なくともＬＴＥに準拠した動作を行うための図示しない機能も有するものである。また、このユーザ装置ＵＥは、ＵＥカテゴリ９以降であるとする。
【００７４】
ＤＬ信号受信部４０１は、基地局ｅＮＢから各種の下り信号を受信し、受信した物理レイヤの信号からより上位のレイヤの情報を取得する機能を含み、ＵＬ信号送信部４０２は、ユーザ装置ＵＥから送信されるべき上位のレイヤの情報から、物理レイヤの各種信号を生成し、基地局ｅＮＢに対して送信する機能を含む。
【００７５】
ＵＥカテゴリ管理部４０３は、ユーザ装置ＵＥ自身のＵＥカテゴリの情報を格納する記億部を備え、他の機能部からの問い合わせを受けてＵＥカテゴリを当該機能部に通知する機能を有する。当該記憶部には、ＵＥカテゴリ１０のような実際のカテゴリに代えて、又はこれに加えて、図１４、１６等に示す、自身の能力に対応するＲｅｌ−８ＵＥカテゴリ値を記憶してもよい。
【００７６】
ＵＥカテゴリ通知制御部４０４は、ＵＥカテゴリ管理部４０３から自身のＵＥカテゴリを取得し、図１４、図１６等に示す関係に基づいて、能力情報と自分の実際のＵＥカテゴリに対応するＲｅｌ−８ＵＥカテゴリフィールドの値を設定した能力情報通知メッセージを、ＵＬ信号送信部４０２を介して基地局ｅＮＢに送信する。ＵＥカテゴリ通知制御部４０４は、図１４、図１６等に示すテーブルを保持し、上記記憶部から９以降のＵＥカテゴリを取得し、保持するテーブルからＲｅｌ−８ＵＥカテゴリフィールドの値を決定してもよいし、Ｒｅｌ−８ＵＥカテゴリフィールドの値を予め保持し、この保持した値を用いてもよい。
【００７７】
上述したように、本実施の形態によれば、基地局とユーザ装置を備える移動通信システムにおけるユーザ装置であって、前記ユーザ装置の種類情報を格納した記億部（例：ＵＥカテゴリ管理部４０３）と、前記種類情報として、前記ユーザ装置の能力情報と、前記種類情報よりも低い能力に対応する別の種類情報とを前記基地局に送信する種類情報通知制御部（例：ＵＥカテゴリ通知制御部４０４）とを備えたことを特徴とするユーザ装置が提供される。
【００７８】
前記移動通信システムは例えばＬＴＥ方式の移動通信システムであり、前記ユーザ装置の種類情報はＵＥカテゴリ９以降のＵＥカテゴリであり、前記別の種類情報はリリース８のＵＥカテゴリフィールドの値であるが、当該別の種類情報として、リリース８のＵＥカテゴリフィールド以外のフィールドを用いることとしてもよい。
【００７９】
上記の構成により、ＵＥカテゴリ９以降のＵＥカテゴリを通知するためのフィールドを増加させることなく、ＵＥカテゴリ９以降のＵＥカテゴリを通知でき、フィールドを増加させる場合に比べてオーバヘッドを削減できる。
【００８０】
また、本実施の形態によれば、基地局とユーザ装置を備える移動通信システムにおける基地局であって、前記ユーザ装置から、当該ユーザ装置の能力情報と第１の種類情報を受信する受信部（例：ＵＬ信号受信部３０２）と、前記能力情報と、前記第１の種類情報と、当該第１の種類情報よりも高い能力に対応する第２の種類情報との間の予め定めた対応関係に基づいて、前記ユーザ装置の種類情報として、前記能力情報と前記第１の種類情報とに対応する第２の種類情報を決定する種類情報判定部（例：ＵＥカテゴリ判定部３０３）を備えることを特徴とする基地局が提供される。
【００８１】
前記移動通信システムは例えばＬＴＥ方式の移動通信システムであり、前記第２の種類情報はＵＥカテゴリ９以降のＵＥカテゴリであり、前記第１の種類情報はリリース８のＵＥカテゴリフィールドの値であるが、既存の他のフィールドを読み替えて使用可能であれば当該他のフィールドを用いてもよい。
【００８２】
以上、本発明の各実施の形態を説明してきたが、開示される発明はそのような実施形態に限定されず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。上記の説明における項目の区分けは本発明に本質的ではなく、２以上の項目に記載された事項が必要に応じて組み合わせて使用されてよいし、ある項目に記載された事項が、別の項目に記載された事項に（矛盾しない限り）適用されてよい。機能ブロック図における機能部又は処理部の境界は必ずしも物理的な部品の境界に対応するとは限らない。複数の機能部の動作が物理的には１つの部品で行われてもよいし、あるいは１つの機能部の動作が物理的には複数の部品により行われてもよい。説明の便宜上、ユーザ装置ＵＥ及び基地局ｅＮＢは機能的なブロック図を用いて説明されたが、そのような各装置はハードウェアで、ソフトウェアで又はそれらの組み合わせで実現されてもよい。本発明に従って動作するソフトウェアは、ランダムアクセスメモリ（ＲＡＭ）、フラッシュメモリ、読み取り専用メモリ（ＲＯＭ）、ＥＰＲＯＭ、ＥＥＰＲＯＭ、レジスタ、ハードディスク（ＨＤＤ）、リムーバブルディスク、ＣＤ−ＲＯＭ、データベース、サーバその他の適切な如何なる記憶媒体に保存されてもよい。本発明は上記実施形態に限定されず、本発明の精神から逸脱することなく、様々な変形例、修正例、代替例、置換例等が本発明に包含される。
【符号の説明】
【００８３】
ｅＮＢ  基地局
ＵＥ  ユーザ装置
１０１  ＤＬ信号送信部
１０２  ＵＬ信号受信部
１０３  対応状況情報通知部
１０４  ＵＥカテゴリ判定部
２０１  ＤＬ信号受信部
２０２  ＵＬ信号送信部
２０３  ＵＥカテゴリ管理部
２０４  ｅＮＢ対応状況判定部
２０５  ＵＥカテゴリ通知制御部
３０１  ＤＬ信号送信部
３０２  ＵＬ信号受信部
３０３  ＵＥカテゴリ判定部
４０１  ＤＬ信号受信部
４０２  ＵＬ信号送信部
４０３  ＵＥカテゴリ管理部
４０４  ＵＥカテゴリ通知制御部
【図１】
2014236353.tif 000003
【図２】
2014236353.tif 000004
【図３】
2014236353.tif 000005
【図４】
2014236353.tif 000006
【図５】
2014236353.tif 000007
【図６】
2014236353.tif 000008
【図７】
2014236353.tif 000009
【図８】
2014236353.tif 000010
【図９】
2014236353.tif 000011
【図１０】
2014236353.tif 000012
【図１１】
2014236353.tif 000013
【図１２】
2014236353.tif 000014
【図１３】
2014236353.tif 000015
【図１４】
2014236353.tif 000016
【図１５】
2014236353.tif 000017
【図１６】
2014236353.tif 000018
【図１７】
2014236353.tif 000019
【図１８】
2014236353.tif 000020
【図１９】
2014236353.tif 000021